(57)【要約】【課題】どのような種類のネズミでも、またどのような季節や場所においても、常に良好にネズミの捕獲を行うことのでき、しかも、箱状のハウス形体にする組み立ての際の部材の破損等を無くすことで、長期にわたって使用することのできる粘着式ネズミ捕獲器を提供する。【解決手段】縦横の側辺を有する略方形状の台紙１を備え、この台紙１の表面にネズミを捕獲するための粘着部１５を設けると共に、その台紙１に横に向かう折り目を複数設けて、この複数の折り目にて折り曲げることにより横側に進入口２５を形成した箱状のハウス形体に変化する粘着式ネズミ捕獲器において、留め部材２０の雄型留め具２０ａを、台紙１の表面と裏面のうちの一方の面における縦方向の一側縁に設けると共に、この留め部材２０の雄型留め具２０ａに着脱自在に掛合する留め部材２０の雌型留め具２０ｂを、台紙１の表面と裏面のうちの他方の面における縦方向の他側縁に設けた粘着式ネズミ捕獲器である。【選択図】図１
2008237071.tif 000002
【特許請求の範囲】
【請求項１】
縦横の側辺を有する略方形状の台紙１を備え、この台紙１の表面にネズミを捕獲するための粘着部１５を設けると共に、その台紙１に横に向かう折り目を複数設けて、この複数の折り目にて折り曲げることにより横側に進入口２５を形成した箱状のハウス形体に変化する粘着式ネズミ捕獲器において、
留め部材２０の雄型留め具２０ａを、台紙１の表面と裏面のうちの一方の面における縦方向の一側縁に設けると共に、この留め部材２０の雄型留め具２０ａに着脱自在に掛合する留め部材２０の雌型留め具２０ｂを、台紙１の表面と裏面のうちの他方の面における縦方向の他側縁に設けて、この留め部材２０にあっては、複数の折り目を折り曲げて雄型留め部材２０ａと雌型留め部材２０ｂとを掛合することによって、箱状のハウス形体に組み立て可能にすると共に、複数の台紙１を用意して留め部材２０の雄型留め部材２０ａと隣接する台紙１の留め部材２０の雌型留め部材２０ｂとを掛合することによって、縦方向に隣接する台紙１同士を連結可能にしたことを特徴とする粘着式ネズミ捕獲器。
【請求項２】
横連結用留め部材２７の雄型留め具２７ａを、台紙１の表面と裏面のうちの一方の面における横方向の一側縁に設けると共に、この横連結用留め部材２７の雄型留め具２７ａに着脱自在に掛合する留め部材２７の雌型留め具２７ｂを、台紙１の表面と裏面のうちの他方の面における横方向の他側縁に設けて、この横連結用留め部材２７にあっては、複数の台紙１を用意して横連結用留め部材２７の雄型留め部材２７ａと隣接する台紙１の横連結用留め部材２７の雌型留め部材２７ｂとを掛合することによって、横方向に隣接する台紙１同士を連結可能にしたことを特徴とする請求項１記載の粘着式ネズミ捕獲器。
【請求項３】
台紙１に開閉自在となる開放片３３を設け、連結用留め部材４０の雄型留め具４０ａを、開放片３３の先端側に設けると共に、この連結用留め部材４０の雄型留め具４０ａに着脱自在に掛合する連結用留め部材４０の雌型留め具４０ｂを、台紙１の開放片３３を設けた箇所の側方部に設けて、この連結用留め部材４０にあっては、複数の台紙１を用意しかつ台紙１に設けた開放片３３を開いて連結用留め部材４０の雄型留め部材４０ａと隣接する台紙１の連結用留め部材４０の雌型留め部材４０ｂとを掛合することによって、縦方向又は横方向に隣接する台紙１同士を連結可能にしたことを特徴とする請求項１又は請求項２記載の粘着式ネズミ捕獲器。
【請求項４】
前記台紙１に設けた開放片３３を開くことによって、ここにネズミが進入可能となる窓３０を形成したことを特徴とする請求項１乃至請求項３記載の粘着式ネズミ捕獲器。
【請求項５】
前記窓３０は、台紙１を箱状のハウス形体に変化させたとき、その上面となる位置に形成したことを特徴とする請求項４記載の粘着式ネズミ捕獲器。
【発明の詳細な説明】
【技術分野】
【０００１】
本発明は、屋外、一般の住宅や事務所あるいは店舗や倉庫等の屋内において、ネズミを捕獲するために用いられる粘着式ネズミ捕獲器に関する。
【背景技術】
【０００２】
従来、ネズミを捕獲するために用いられる粘着式ネズミ捕獲器としては、いろいろなものが知られていたが、代表的なものとして、例えば、実用新案登録第３００２１４８号公報に記載されたものが知られていた。
【０００３】
これは、複数の、例えば二本の折り目を設けた長方形状の台紙を備え、この台紙の片方の表面に粘着剤を塗布する。粘着剤は台紙の表面の縁部を除いた略全面に塗布するようにする。また、この台紙の長手方向の一端には凹状の止め用切り込み穴を形成すると共に、台紙の長手方向の他端には止め用切り込み穴に嵌め込み可能となる凸状の止め用突出片を形成する。
【０００４】
このようになる粘着式ネズミ捕獲器では、その実際の使用方法としては二通りある。まず、一つ目の使用方法としては、台紙の折り目を折り曲げることなく平らな状態で、要するに台紙を平板状のフラット形体にする。そして、この平板状のフラット形体となる台紙を、例えば住宅、事務所、店舗や倉庫等の屋内における床面や天井裏で、ネズミが通りやすいところに複数敷設する。そして、敷設したフラット形体の台紙上をネズミが歩くと、台紙の表面に塗布した粘着剤によってネズミが台紙にくっつき、ネズミを捕獲することができる。
【０００５】
一方、二つ目の使用方法としては、台紙を二本の折り目に沿って折り曲げて、一端に形成した止め用切り込み穴に他端に形成した止め用突出片を嵌め込んで組み立てて、横側に進入口を形成する横向き三角筒状、要するに箱状のハウス形体にする。そして、箱状のハウス形体となる台紙を、例えば住宅、事務所、店舗や倉庫等の屋内における床面や天井裏、またその隅、さらには壁や家具との隙間等に設置する。そして、設置したハウス形体の台紙内にネズミが進入すると、台紙の表面に塗布した粘着剤によってネズミが台紙にくっつき、このときネズミは足のみならず体も粘着剤によって台紙にくっつくようになり、ネズミをしっかりと捕獲することができる。
【０００６】
このように平板状のフラット形体と箱状のハウス形体との二つの形体において変化するようにした粘着式ネズミ捕獲器にあっては、使用方法が二通りとなることで、習性や生息領域の異なるいろいろな種類のネズミに対応することができるようにしている。
【０００７】
【特許文献１】実用新案登録第３００２１４８号公報
【発明の開示】
【発明が解決しようとする課題】
【０００８】
しかしながら、従来の粘着式ネズミ捕獲器にあっては、二通りの使用方法はあるものの、捕獲しようとするネズミの種類は千差万別でその習性は異なり、しかも季節によってその生態も異なる場合がある。例えば、家住性ネズミの代表種であるドブネズミの場合は、運動能力は低いが、大型で力の強いネズミであり、建物の中でも下水道や厨房、床下等、比較的低い場所に生息する。また、ドブネズミとともに家住性ネズミの代表種であるクマネズミの場合は、その高い運動能力から、物をよじ登ったり電線を伝わったりすることを得意とし、都市部の立体構造物によく適応して、建物内でも天井裏や壁の中等、比較的高い場所に生息する。一方、小型のハツカネズミは、農村部に多く見られ、畑地やその周辺に住み、秋から冬にかけての寒い季節にはしばしば農家や納屋に侵入するところが観察されている。このように、大きさや活動性の異なるネズミに対して、その季節や場所によって、一つの捕獲器で常に良好な捕獲効果を得ることは、従来の粘着式ネズミ捕獲器では難しかった。
【０００９】
しかも、従来の粘着式ネズミ捕獲器において、箱状のハウス形体にする際、台紙を折り曲げた後、台紙の止め用切り込み穴に止め用突出片を嵌め込んで組み立てるため、この嵌め込んで組み立てる作業が面倒であるといったことがあると共に、さらには組み立て時における台紙の止め用切り込み穴への止め用突出片の嵌め込みを繰り返し何度も行うと、止め用切り込み穴及び止め用突出片が破損してしまい、箱状のハウス形体に組み立てることができなくなるといった問題が生じるおそれがあった。
【００１０】
本発明は、これらのことを鑑み、どのような種類のネズミでも、またどのような季節や場所においても、常に良好にネズミの捕獲を行うことのでき、しかも、箱状のハウス形体にする際の組み立て作業を容易なものにすると共に、組み立ての際の止め用切り込み穴及び止め用突出片の破損等を無くすことで、長期にわたって使用することのできる粘着式ネズミ捕獲器を提供することを、その課題とする。
【課題を解決するための手段】
【００１１】
第一の発明は、縦横の側辺を有する略方形状の台紙を備え、この台紙の表面にネズミを捕獲するための粘着部を設けると共に、その台紙に横に向かう折り目を複数設けて、この複数の折り目にて折り曲げることにより横側に進入口を形成した箱状のハウス形体に変化する粘着式ネズミ捕獲器において、留め部材の雄型留め具を、台紙の表面と裏面のうちの一方の面における縦方向の一側縁に設けると共に、この留め部材の雄型留め具に着脱自在に掛合する留め部材の雌型留め具を、台紙の表面と裏面のうちの他方の面における縦方向の他側縁に設けて、この留め部材にあっては、複数の折り目を折り曲げて雄型留め部材と雌型留め部材とを掛合することによって、箱状のハウス形体に組み立て可能にすると共に、複数の台紙を用意して留め部材の雄型留め部材と隣接する台紙の留め部材の雌型留め部材とを掛合することによって、縦方向に隣接する台紙同士を連結可能にした粘着式ネズミ捕獲器である。
【００１２】
第二の発明は、第一の発明において、横連結用留め部材の雄型留め具を、台紙の表面と裏面のうちの一方の面における横方向の一側縁に設けると共に、この横連結用留め部材の雄型留め具に着脱自在に掛合する留め部材の雌型留め具を、台紙の表面と裏面のうちの他方の面における横方向の他側縁に設けて、この横連結用留め部材にあっては、複数の台紙を用意して横連結用留め部材の雄型留め部材と隣接する台紙の横連結用留め部材の雌型留め部材とを掛合することによって、横方向に隣接する台紙同士を連結可能にした粘着式ネズミ捕獲器である。
【００１３】
第三の発明は、第一又は第二の発明において、台紙に開閉自在となる開放片を設け、連結用留め部材の雄型留め具を、開放片の先端側に設けると共に、この連結用留め部材の雄型留め具に着脱自在に掛合する連結用留め部材の雌型留め具を、台紙の開放片を設けた箇所の側方部に設けて、この連結用留め部材にあっては、複数の台紙を用意しかつ台紙に設けた開放片を開いて連結用留め部材の雄型留め部材と隣接する台紙の連結用留め部材の雌型留め部材とを掛合することによって、縦方向又は横方向に隣接する台紙同士を連結可能にした粘着式ネズミ捕獲器である。
【００１４】
第四の発明は、第一乃至第三の発明において、前記台紙に設けた開放片を開くことによって、ここにネズミが進入可能となる窓を形成した粘着式ネズミ捕獲器である。
【００１５】
第五の発明は、第四の発明において、前記窓は、台紙を箱状のハウス形体に変化させたとき、その上面となる位置に形成した粘着式ネズミ捕獲器である。
【発明の効果】
【００１６】
本発明によれば、台紙に複数設けた折り目にて折り曲げることにより、台紙を平板状のフラット形体から箱状のハウス形体へと変化させることができると共に、複数の台紙を用意して台紙をフラット形体にした状態で隣接する台紙同士を連結できるようにしたことで、台紙をいろいろな形体にすることができる。これにより、使用方法も多様にすることができ、習性や生息領域の異なるいろいろな種類のネズミでも、またどのような季節や場所においても、常に良好にネズミの捕獲を行うことのできる。要するに、一つの粘着式ネズミ捕獲器において、いろいろな形体に、かつ使用方法を多様にすることができ、極めて高い捕獲効果を得ることができる。
【００１７】
しかも、留め部材にあっては、従来のような台紙の端部に形成する凹状の止め用切り込み穴や凸状の止め用突出片とは全く異なり、台紙とは別部材となる留め部材を台紙の表面及び裏面にそれぞれ設けるようにしたことで、台紙のハウス形体への組み立て作業あるいはフラット形体の台紙１を連結する作業では、留め部材において、雄型留め部と雌型留め部とを掛合するだけの極めて簡単かつ単純な作業となり、作業を極めて容易なものにすることができ、しかも、留め部材２０は、繰り返し着脱を行っても、留め部材が破損するといったことがほとんど無く、長期にわたって当該粘着式ネズミ捕獲器を使用することができる。
【００１８】
また、本発明によれば、箱状のハウス形体にした状態で横方向に隣接する台紙を、横連結用留め部材あるいは連結用留め部材により横方向にわたって連結することで、当該粘着式ネズミ捕獲器を先が真っ暗となるトンネル状にすることができ、トンネル状のものを好むネズミの習性を利用して、ネズミを良好に内部に誘き寄せることができる。しかも、たとえ力の強いネズミであっても、横方向にわたって連結した複数の箱状のハウス形体にした台紙の内のどこかで必ず台紙の粘着部にくっつくため、ネズミを確実に捕獲することができる。
【００１９】
また、本発明によれば、台紙を箱状のハウス形体にした際、ネズミが進入可能な窓を形成することで、横側に形成される進入口のみならず窓からもネズミの進入を可能とすることができ、ネズミの進入を容易にして捕獲率を高めることができる。
【発明を実施するための最良の形態】
【００２０】
本発明による粘着式ネズミ捕獲器の第一の実施形態について説明する。
図１の平面図や図２の底面図に示すように、縦横の側辺を有する略方形状、具体的には縦長の長方形状の厚地の台紙１を備える。なお、この縦長の長方形状の台紙１については、説明上、縦長としているだけで、縦横どちらでも良い。また、その形状も長方形状に限定されるものではなく、正方形や他の形状でも良い。
【００２１】
そして、台紙１に横に向かう折り目を複数設ける。これは、まず、この台紙１の略中央に谷折りとなる二本の折り目２，３を横全長にわたって設け、この二本の折り目２，３すなわち上側の折り目２と下側の折り目３とは数ミリ（６ｍｍ〜１０ｍｍ程度）の間隔にしている。
【００２２】
次に、台紙１の略中央に設けた二本の折り目２，３の上方であり、台紙１の上半分を略二等分する位置に谷折りとなる折り目４を横全長にわたって設ける。さらに、台紙１の上端に谷折りとなる折り目５を横全長にわたって設ける。一方、台紙１の略中央に設けた二本の折り目２，３の下方であり、台紙１の下半分を略二等分する位置に谷折りとなる折り目６を横全長にわたって設ける。
【００２３】
このように横に向かう折り目を複数設けることにより、台紙１の略中央に設けた二本の折り目２，３と折り目６との間の面を底面部１０とし、この底面部１０の下方である折り目６より下側の面を一方の側面部１１とする。また、台紙１の略中央に形成した二本の折り目２，３と折り目４との間の面をもう一方の側面部１２とし、この側面部１２の上方である折り目４と折り目５との間の面を上面部１３とし、さらに、この上面部１３の上方である折り目５より上側の面を貼着面部１４とする。
【００２４】
そして、この台紙１の表面にネズミを捕獲するための粘着部１５を設ける。これは、台紙１の表面の縁部を除いた略全面に粘着剤を塗布することにより、粘着部１５を形成するようにしている。なお、台紙１の略中央に設けた二本の折り目２，３の上方側と下方側とに薄型円柱体状のストッパー１６をそれぞれ設けており、これにより、当該粘着式ネズミ捕獲器を使用する前の流通及び販売時あるいは保管時において、図３の斜視図に示すように、台紙１の略中央に形成した二本の折り目２，３に沿って折り曲げて折り畳んだ状態にするが、このとき、互いのストッパー１６が突き当たることにより台紙１の表面に設けた粘着部１５が互いにくっつきあうのを防止するようにしている。
【００２５】
そして、このようになる台紙１において、図１の平面図に示すように、留め部材２０の雄型留め具２０ａを、台紙１の表面と裏面のうちの一方の面における縦方向の一側縁、具体的には台紙１の表面における縦方向の一側縁である貼着面部１４の左右に設け、さらに、図２の底面図に示すように、台紙１の表面における貼着面部１４に設けた留め部材２０の雄型留め具２０ａに着脱自在に掛合する留め部材２０の雌型留め具２０ｂを、台紙１の表面と裏面のうちの他方の面における縦方向の他側縁、具体的には台紙の裏面における縦方向の他側縁である側面部１１の下部の左右に設ける。この雄型留め部２０ａと雌型留め部２０ｂとからなる留め部材２０は、繰り返しの着脱を可能にする面ファスナーテープ、要するにマジックテープ（登録商標）である。ただし、この留め部材２０にあっては、面ファスナーテープに限定されるものではなく、スナップやホック等の繰り返しの着脱を可能にするものであれば良い。
【００２６】
この留め部材２０において、台紙１における略中央に設けた二本の折り目２，３、及び折り目４、折り目５、折り目６の各折り目を折り曲げて、留め部材２０の雄型留め部材２０ａと雌型留め部材２０ｂとを掛合することによって、図４の斜視図に示すように、横側に進入口２５を形成した箱状のハウス形体に組み立てると共に、台紙１を各折り目で折り曲げることなく平らな状態、要するに台紙１を平板状のフラット形体にし、これらを複数用意して、図５の平面図に示すように、留め部材２０の雄型留め部材２０ａと縦方向に隣接する台紙１の留め部材２０の雌型留め部材２０ｂとを掛合することによって、台紙１をフラット形体にした状態で縦方向に隣接する台紙１同士を連結して、縦方向にわたって台紙１を複数連結する。
【００２７】
このように留め部材２０にあっては、台紙１を横側に進入口２５を形成した箱状のハウス形体に組み立てる際に用いることができると共に、台紙１を複数用意して台紙１をフラット形体にした状態で縦方向に隣接する台紙１同士を連結する、すなわち台紙１を縦方向にわたって複数連結する際にも用いることができる。
【００２８】
なお、前述した例では、台紙１を横側に進入口２５を形成した箱状のハウス形体に組み立てる際、台紙１をフラット形体にした状態で台紙１を縦方向にわたって複数連結する際の両方において、一つの部材である留め部材２０（雄型留め部２０ａ及び雌型留め部２０ｂ）を用いる、要するに、兼用するようにしていたが、このように兼用するのではなく、箱状のハウス形体に組み立てるための留め部材（雄型留め部及び雌型留め部）と、台紙１をフラット形体にした状態で台紙１を複数連結するための留め部材（雄型留め部及び雌型留め部）とを、それぞれ別々に台紙１に設けるようにしても良い。ただし、留め部材を別々に設けた場合は、留め部材２０を兼用した場合と比べて留め部材を多く設ける（数が２倍になる）必要があり、部品点数の増加による工数の増加あるいは価格が高くなるといったことが起きるおそれがある。
【００２９】
次に、このようになる粘着式ネズミ捕獲器における実際の使用例について説明する。
台紙１の各折り目を折り曲げることなく平らな状態で、すなわち台紙１を平板状のフラット形体で使用する場合、１個の台紙１を単独で使用してネズミの捕獲を行うこともできるが、この台紙１を複数用意することにより、図５の平面図に示すように、これらの台紙１の留め部材２０である雄型留め部２０ａと縦方向に隣接する台紙１の留め部材２０である雌型留め部２０ｂとを掛合して、フラット形体の台紙１を縦方向にわたって複数連結する。そして、このように縦方向にわたって複数連結した台紙１を、例えば店舗や倉庫等の屋内における床面や屋根裏の略全面にわたって敷設する。これにより、敷設したフラット形体の台紙１上をネズミが歩くと、台紙１の表面の粘着部１５における粘着剤によってネズミが台紙１にくっつき、ネズミを捕獲することができる。
【００３０】
このようにフラット形体の台紙１を複数連結して床面等に敷設して使用した場合、ネズミを捕獲した後は、ネズミを捕獲した台紙１のみを取り外して、これを廃棄し、取り外した箇所に新しい台紙１を連結することにより、再びネズミの捕獲を行うことができ、長期にわたるネズミの捕獲を可能にする。
【００３１】
また、台紙１を各折り目で折り曲げて、貼着面部１４の表面に設けた留め部材２０である雄型留め部２０ａと、側面部１１の裏面に設けた留め部材２０である雌型留め部２０ｂとを掛合することにより、図４の斜視図に示すように、箱状のハウス形体に組み立てる。これによって、底面部１０と側面部１１，１２と上面部１３とから左右に向かう略台形筒状として、その横側が開口してネズミが内部に進入可能な進入口２５を形成する。このように箱状のハウス形体にした台紙１を、例えば住宅、事務所、店舗や倉庫等の屋内の隅あるいは壁や家具との隙間等に設置する。これにより、設置したハウス形体の台紙１内にネズミが進入すると、台紙１の表面の粘着部１５における粘着剤によってネズミが台紙１にくっつき、このときネズミは足のみならず体にも粘着剤がくっつくようになり、ネズミを捕獲することができる。
【００３２】
このように台紙１を箱状のハウス形体にして屋内の隅あるいは壁や家具との隙間等に設置して使用した場合、ネズミを捕獲した後は、この箱状のハウス形体のままで廃棄すればよく、捕獲したネズミを見ることなく廃棄できることから、使用者が不快感を受けるのを大幅に低減することができる。
【００３３】
以上のように、台紙１に複数設けた折り目にて折り曲げることにより、台紙１を平板状のフラット形体から箱状のハウス形体へと変化させることができると共に、さらに、複数の台紙１を用意して台紙１をフラット形体にした状態で縦方向に隣接する台紙１同士を連結できるようにしたことで、台紙１をいろいろな形体にすることができ、使用方法も多様にすることにより、習性や生息領域の異なるいろいろな種類のネズミでも、またどのような季節や場所においても、常に良好にネズミの捕獲を行うことのできる。
【００３４】
また、面ファスナーテープである留め部材２０にあっては、従来のような台紙の端部に形成する凹状の止め用切り込み穴や凸状の止め用突出片とは全く異なり、台紙とは別部材となる留め部材２０を台紙１の表面及び裏面にそれぞれ設けるようにしたことで、台紙１のハウス形体への組み立て作業あるいはフラット形体の台紙１を連結する作業では、留め部材２０において、雄型留め部２０ａと雌型留め部２０ｂとを掛合するだけの極めて簡単かつ単純な作業となり、作業を極めて容易なものにすることができ、しかも、面ファスナーテープである留め部材２０は、繰り返し着脱を行っても、留め部材２０が破損するといったことがほとんど無く、長期にわたって使用することができる。
【００３５】
次に、本発明による粘着式ネズミ捕獲器の第二の実施形態について説明すると、基本的には、前述した第一の実施形態と略同様であるが、図６の平面図に示すように、横連結用留め部材２７の雄型留め具２７ａを、台紙１の表面と裏面のうちの一方の面における横方向の一側縁、具体的には台紙１の表面における底面部１０と上面部１３との横（左右）方向の一端側に折り畳み自在に設けた突出片２６に設ける。一方、この横連結用留め部材２７の雄型留め具２７ａに着脱自在に掛合する横連結用留め部材２７の雌型留め具２７ｂを、台紙１の表面と裏面のうちの他方の面における横方向の他側縁、具体的には台紙１の裏面における底面部１０と上面部１３との横（左右）方向の他端側（突出片２６を設けていない側）に設ける。なお、この雄型留め部２７ａと雌型留め部２７ｂとからなる横連結用留め部材２７も、前記留め部材２０と同様、繰り返しの着脱を可能にする面ファスナーテープ、要するにマジックテープ（登録商標）である。ただし、この横連結用留め部材２７にあっても、面ファスナーテープに限定されるものではなく、スナップやホック等の繰り返しの着脱を可能にするものであれば良い。また、突出片２６にあっては、不要時はこれを折り畳むことにより、突出片２６が突き出るのを防止するようにしている。
【００３６】
このように構成することにより、複数の台紙１を用意して台紙１を各折り目で折り曲げることなくフラット形体にした状態で、図７の平面図に示すように、留め部材２０である雄型留め部２０ａと雌型留め部２０ｂとによって、縦方向に隣接する台紙１同士を連結できるようにし、さらに、横連結用留め部材２７である雄型留め部２７ａと雌型留め部２７ｂとによって、横方向に隣接する台紙１同士を連結できるようにする。これにより、複数の台紙１にあっては、縦方向及び横方向の両方向において複数連結することができ、例えば店舗や倉庫等の屋内における床面や屋根裏の略全面にわたって敷設した際、極めて強固に連結した状態で複数の台紙１を敷設することができ、力の強い大型のネズミでも確実に捕獲することができる。
【００３７】
また、複数の台紙１を用意して台紙１を各折り目で折り曲げて留め部材２０によって箱状のハウス形体に組み立てた後、図８の斜視図に示すように、箱状のハウス形体にした台紙１を横方向に複数配置して、これら横方向に隣接する台紙１を底面部１０と上面部１３とに設けた横連結用留め部材２７である雄型留め部２７ａと雌型留め部２７ｂとにより横方向にわたって複数連結する。これにより、当該粘着式ネズミ捕獲器を先が真っ暗になるトンネル状にすることができ、トンネル状のものを好むネズミの習性を利用して、ネズミを内部に良好に誘き寄せることができ、ネズミを捕獲することができる。しかも、例え力の強い大型のネズミであっても、横方向にわたって連結した複数個の台紙１の内のどこかで必ず台紙１の粘着部１５にくっつくため、ネズミを取り逃がすことなく確実に捕獲することができる。
【００３８】
次に、本発明による粘着式ネズミ捕獲器の第三の実施形態について説明する。これは、基本的には、前述した第一の実施形態や第二の実施形態と略同様であるが、複数の台紙１を用意して台紙１を各折り目で折り曲げてハウス形体にした状態で縦方向又は横方向に隣接する台紙１同士を連結できるようにしつつ、さらに、台紙１をハウス形体にした際にネズミが進入可能となる窓３０を形成できるようにした点で、前述した第一の実施形態や第二の実施形態と相違する。
【００３９】
そこで、この相違する点を詳細に説明する。図９の平面図や図１０の底面図に示すように、まず、台紙１における折り目４と折り目５との間の面である上面部１３に、コ字形となる三本の切れ目３１と一本の折れ目３２とから長方形状になる開閉自在となる開放片３３を左右にそれぞれ設ける。この左右の開放片３３は、三本の切れ目３１を切り離して折れ目３２に沿って折り曲げることにより横方向に開くようになり、台紙１の上面部１３より横側にその先端が突き出るようにしている。
【００４０】
そして、連結用留め部材４０の雄型留め具４０ａを、左右の開放片３３の裏面における先端側（横方向）に設けると共に、この連結用留め部材４０の雄型留め具４０ａに着脱自在に掛合する連結用留め部材４０の雌型留め具４０ｂを、台紙１の開放片３３を設けた箇所の側方部、具体的には台紙１の上面部１３の裏面における横側（左右）の端部に設ける。なお、この雄型留め部４０ａと雌型留め部４０ｂとからなる連結用留め部材４０も、前記留め部材２０や横連結用留め部材２７と同様、繰り返しの着脱を可能にする面ファスナーテープ、要するにマジックテープ（登録商標）である。ただし、この連結用留め部材４０にあっても、面ファスナーテープに限定されるものではなく、スナップやホック等の繰り返しの着脱を可能にするものであれば良い。
【００４１】
このように構成することにより、台紙１を箱状のハウス形体にした際、図１１の斜視図に示すように、上面部１３における三本の切れ目３１を切り離して、開放片３３を折れ目３２に沿って折り曲げて開くことによって、上面部１３にネズミが進入可能となる大きな窓３０を形成することができ、箱状のハウス形体において、その横側に形成される進入口２５のみならず上面部１３に形成した窓３０からもネズミの進入を可能にする。
【００４２】
また、複数の台紙１を用意して台紙１を各折り目で折り曲げて箱状のハウス形体にした状態で開放片３３を開いて、この開いた開放片３３の先端に設けた連結用留め部材４０である雌型留め部４０ｂと横方向に隣接する箱状のハウス形体にした台紙１の上面部１３の左右端部に設けた連結用留め部材４０である雄型留め部４０ａとを掛合することにより、図１２の斜視図に示すように、台紙１を箱状のハウス形体にした状態で横方向にわたって複数連結することができ、当該粘着式ネズミ捕獲器を先が真っ暗になるトンネル状にすることができる。
【００４３】
なお、前記開放片３３及び開放片３３により形成される窓３０にあっては、前述の例では台紙１の上面側である上面部１３に設けるようにしていたが、これに限定されるものではなく、他の部分、例えば側面部１１，１２等に設けるようにしても良い。
【００４４】
また、台紙１における上面部１３の左右に設ける開放片３３にあっては、前述したような横方向に開いて上面部１３より横側に突き出るように折り曲げるようにするのではなく、図１３の斜視図に示すように、縦方向に開いて上面部１３より縦側に突き出るように折り曲げるようにしても良く、この場合、連結用留め部材４０の雄型留め具４０ａを、左右の開放片３３の裏面における先端側（縦方向）に設けると共に、この連結用留め部材４０の雄型留め具４０ａに着脱自在に掛合する連結用留め部材４０の雌型留め具４０ｂを、台紙１の開放片３３を設けた箇所の側方部、具体的には台紙１の上面部１３の裏面（図１３では表側にあらわれて見える）における縦側（前後）の一端部に設ける。このようになる台紙１を複数用意することによって、図１４の斜視図に示すように、横側に進入口２５を形成した箱状のハウス形体にした台紙１を縦方向にわたって並列状態で複数連結することができる。
【００４５】
このようなる粘着式ネズミ捕獲器における実際の使用例にあっても、前述した第一の実施形態や第二の実施形態と同様、台紙１の各折り目を折り曲げることなく台紙１を平板状のフラット形体で使用する場合は、１個の台紙１を単独で使用してネズミの捕獲を行うことができると共に、この台紙１を複数用意することにより、フラット形体の台紙１を縦方向にわたって複数連結して、このように縦方向にわたって複数連結した台紙１を床面等に敷設して使用することもできる。また、台紙１を各折り目で折り曲げて箱状のハウス形体に組み立てて使用する場合も、１個の箱状のハウス形体となる台紙１を単独で用いることもできるし、これを複数用意してこれらを連結した状態で用いることもでき、屋内の隅あるいは壁や家具との隙間等に設置して使用することができる。
【００４６】
さらに、第三の実施形態にあっては、台紙１を各折り目で折り曲げて箱状のハウス形体にした際に横側の進入口２５と共にネズミが進入可能な窓３０を形成することにより、この窓３０からもネズミが進入して、台紙１の表面の粘着部１５にネズミがくっつくことにより、ネズミを捕獲することができる。また、台紙１を各折り目で折り曲げて箱状のハウス形体にし、これを複数用意してハウス形体にした台紙１を横方向にわたって複数連結すると、図１２の斜視図に示すように、当該粘着式ネズミ捕獲器を先が真っ暗になるトンネル状にすることができ、トンネル状のものを好むネズミの習性を利用して、ネズミを内部に良好に誘き寄せることができる。
【００４７】
以上のように、台紙１を各折り目で折り曲げて箱状のハウス形体にした際、ネズミが進入可能な大きな窓３０を形成することにより、横側に形成される進入口２５のみならず窓３０からもネズミの進入を可能とすることで、ネズミの進入を容易にして捕獲率を高めることができる。
【００４８】
また、複数の台紙１を用意して、この台紙１を各折り目で折り曲げて箱状のハウス形体にし、この箱状のハウス形体にした台紙１を横方向にわたって複数連結して、当該粘着式ネズミ捕獲器を先が真っ暗になるトンネル状にすることで、ネズミを良好に内部に誘き寄せることができ、しかも、例え力の強い大型のネズミであっても、横方向にわたって連結した複数個の台紙１の内のどこかで必ず台紙１の粘着部１５にくっつくため、ネズミを取り逃がすことなく確実に捕獲することができる。
【００４９】
なお、台紙１の上面部１３の開放片３３において、縦方向に開いて上面部１３より縦側に突き出るように折り曲げるようにしたものにあっては、台紙１を各折り目で折り曲げて箱状のハウス形体にして、このハウス形体にした台紙１を縦方向にわたって並列状態で複数連結すると、図１４の斜視図に示すように、複数の進入口２５が並んで出現するようになり、これにより、設置した当該粘着式ネズミ捕獲器をネズミが避けて通るといったことを極力なくすことができ、複数の進入口２５の内のどれかよりネズミが内部に侵入することによって、ネズミの捕獲率を大幅に高めることができる。
【図面の簡単な説明】
【００５０】
【図１】粘着式ネズミ捕獲器の第一の実施形態を説明する平面図である。
【図２】粘着式ネズミ捕獲器の第一の実施形態を説明する底面図である。
【図３】第一の実施形態における折り畳んだ状態を説明する斜視図である。
【図４】第一の実施形態におけるハウス形体にした状態を説明する斜視図である。
【図５】第一の実施形態におけるフラット形体で複数連結した状態を説明する平面図である。
【図６】粘着式ネズミ捕獲器の第二の実施形態を説明する平面図である。
【図７】第二の実施形態におけるフラット形体で複数連結した状態を説明する平面図である。
【図８】第二の実施形態におけるハウス形体で複数連結した状態を説明する斜視図である。
【図９】粘着式ネズミ捕獲器の第三の実施形態を説明する平面図である。
【図１０】粘着式ネズミ捕獲器の第三の実施形態を説明する底面図である。
【図１１】第三の実施形態におけるハウス形体にした状態を説明する斜視図である。
【図１２】第三の実施形態におけるハウス形体で複数連結した状態を説明する斜視図である。
【図１３】第三の実施形態の別の例におけるハウス形体にした状態を説明する斜視図である。
【図１４】第三の実施形態の別の例におけるハウス形体で複数連結した状態を説明する斜視図である。
【符号の説明】
【００５１】
１…台紙、２…折り目、３…折り目、４…折り目、５…折り目、６…折り目、１０…底面部、１１…側面部、１２…側面部、１３…上面部、１４…貼着面部、１５…粘着部、１６…ストッパー、２０…留め部材、２０ａ…雄型留め部、２０ｂ…雌型留め部、２５…進入口、２６…突出片、２７…横連結用留め部材、２７ａ…雄型留め部、２７ｂ…雌型留め部、３０…窓、３１…切れ目、３２…折れ目、３３…開放片、４０…連結用留め部材、４０ａ…雄型留め部、４０ｂ…雌型留め部
【図１】
2008237071.tif 000003
【図２】
2008237071.tif 000004
【図３】
2008237071.tif 000005
【図４】
2008237071.tif 000006
【図５】
2008237071.tif 000007
【図６】
2008237071.tif 000008
【図７】
2008237071.tif 000009
【図８】
2008237071.tif 000010
【図９】
2008237071.tif 000011
【図１０】
2008237071.tif 000012
【図１１】
2008237071.tif 000013
【図１２】
2008237071.tif 000014
【図１３】
2008237071.tif 000015
【図１４】
2008237071.tif 000016